(57)【要約】      （修正有）【課題】引戸と方立枠との間に形成される隙間を塞ぐ為の隙間防止装置を提供する。【解決手段】方立枠２の引戸側面には凹溝を全長に亘って形成し、この凹溝には先端に引戸面に接するモヘアなどの隙間防止部材を取付けた遮蔽部材５を嵌め、方立枠２の出入口側面７には調整部材６を取着し、該調整部材６は方立枠２に設けた穴に回転しないように嵌った外輪と該外輪に嵌って回転する回転体から成り、回転体を回転することで連動機構を介して遮蔽部材５が前進・後退移動するようにしている。【選択図】図１
0003183840.tif 000002
【実用新案登録請求の範囲】
【請求項１】
出入口を開閉する引戸が該出入口を閉じた状態で戸尻側表面に近接して起立する方立枠を有す引戸装置であって、この引戸と方立枠との間に形成される隙間を塞ぐ為の隙間防止装置において、上記方立枠の引戸側面には凹溝を全長に亘って形成し、この凹溝には先端に引戸面に接するモヘアなどの隙間防止部材を取付けた遮蔽部材を嵌め、方立枠の出入口側面には調整部材を取着し、該調整部材は方立枠に設けた穴に回転しないように嵌った外輪と該外輪に嵌って回転する回転体から成り、回転体を回転することで連動機構を介して上記遮蔽部材が前進・後退移動するようにしたことを特徴とする引戸の隙間防止装置。
【請求項２】
上記連動機構として、回転体の後方端に偏心カム軸を水平に延ばし、遮蔽部材の基材側面に形成したカム溝に上記偏心カム軸を嵌入した請求項１記載の引戸の隙間防止装置。
【請求項３】
上記連動機構として回転体の後方端には渦巻状のカム溝を中心部から外周に亘って形成し、遮蔽部材の基材側面から水平に延びるピンの先端部を上記カム溝に嵌めた請求項１記載の引戸の隙間防止装置。
【請求項４】
上記外輪に嵌った回転体の回転をロックする為に、外輪内周に凹凸歯を設け、回転体の外周には凹凸歯に係合する弾性ツメを設けた請求項２、又は請求項３記載の引戸の隙間防止装置。
【請求項５】
上記外輪に嵌った回転体の回転をロックする為に、外輪内周に凹凸歯を設け、回転体の外周には凹凸歯に係合する板バネを取付けた請求項２、又は請求項３記載の引戸の隙間防止装置。
【請求項６】
上記外輪に嵌った回転体の回転をロックする為に、外輪内周に凹凸歯を設け、回転体の外周にはバネ力を付勢して凹凸歯に係合するボール取付けた請求項２、又は請求項３記載の引戸の隙間防止装置。
【請求項７】
上記外輪に嵌った回転体の回転をロックする為に、外輪内周の一か所又は複数個所に溝を中心軸と平行に形成し、また回転体外周には複数個所又は一か所に溝を中心軸と平行に形成し、外輪側の溝と回転体側溝が重なった位置にロックピンを嵌入して回転体の回転をロックした請求項２、又は請求項３記載の引戸の隙間防止装置。
【考案の詳細な説明】
【技術分野】
【０００１】
本考案は引戸装置において、建物壁の先端に取付ける方立枠との間に形成される隙間を防止する装置に関するものである。
【背景技術】
【０００２】
図１０は従来の一般的な引戸装置を示す概略図である。同図の（イ）は引戸、（ロ）は建物の壁、（ハ）は戸袋壁、（ニ）は引戸枠、（ホ）は方立枠をそれぞれ表している。同図に示している引戸（イ）は出入口（ヘ）を閉じているが、引戸（イ）が右側へスライドすれば、出入口（ヘ）は開口する。ところで、同図のように引戸（イ）が閉じた場合、出入口（ヘ）は閉鎖されるが、方立枠（ホ）と引戸（イ）との間には隙間（ト）が介在し、この隙間（ト）を通じて室外から室内に光がもれたり、すきま風が吹き込んだりして室内にいる人々に不快感を与えるといった問題を有す。
【０００３】
図１１は上記図１０のＡ−Ａ断面拡大図を示しているが、両引戸枠（ニ），（ニ）の上端を上枠（チ）にて、下端を下枠（リ）にて連結した枠体が両壁（ロ）、（ロ）の間に形成した間口に嵌っている。引戸（イ）の上端は上枠（チ）のガイド溝（ヌ）に遊嵌し、引戸（イ）の下端は下枠（リ）に取付けたレール（ル）に載っている。そして、方立枠（ホ）と引戸（イ）の間には一定幅の隙間（ト）を有し、引戸（イ）は方立枠（ホ）に接することなく開閉することが出来る。
【０００４】
しかし、この隙間（ト）は、引戸（イ）を開閉操作するにあたって必要なクリアランスであり、この隙間（ト）が無いと引戸（イ）は方立枠（ホ）に接して開閉操作がし難くなり、しかも引戸表面にキズが付く。その為に、該隙間（ト）は引戸（イ）と方立枠（ホ）が接触しない必要最小限の大きさは必要となる。
その為、方立枠（ホ）の引戸測側面に上記隙間（ト）の寸法と等しい長さのモヘアやパッキンなどの気密材を貼着し、該気密材を引戸側面に接触させることで隙間（ト）を塞いでいた。
【０００５】
このように方立枠（ホ）に気密材を取付けても、引戸（イ）に反りが発生した場合は該引戸（イ）と方立枠（ホ）間の隙間（ト）が拡大して該気密材にて隙間を閉ざすことが出来ない。また、方立枠（ホ）が反ることで引戸（イ）との間の隙間（ト）が拡大する場合もある。
一方、引戸（イ）を据え付けた後に、地震による建物自体の傾きによる躯体の変形、さらには施工ミスによる隙間（ト）の発生などにより気密材が該隙間（ト）を閉ざすことが出来ないことも多い。
【０００６】
そこで、従来では引戸（イ）と方立枠（ホ）との間に発生する隙間（ト）が変化した場合であっても対応できるようにした技術が開発されている。例えば、特開平１０−３３９０７７号に係る「引戸構造」は、方立ての引戸側側面に嵌入溝を設けるとともに、基材と、基材の表面に設けられる閉そく体からなり、引戸の側面と方立ての側面の間のクリアランスを閉そくする閉そく部材を、方立てに設けられる嵌入溝にその突出量を調整可能に嵌入している。
ところで、嵌入溝に嵌っている基材は閉そく材の表面から調整ビスを螺合して突出量を調整可能としている訳で、閉そく材の表面は引戸面と接していることから、調整は面倒である。すなわち、引戸を一旦取外して調整し、再度引戸を装着してクリアランスを見極めなくてはならない。
【０００７】
特開２００９−１２７３２１号に係る「引き戸の中方立構造」は、建物の壁などに設けられる引き戸枠の中方立構造において、加工が容易で、製造コストを低減することができるだけでなく、小さなトルクで広い範囲に隙間調整部材を動かすことができるコンパクトで取り扱いが容易な引き戸の中方立構造である。
そこで、隙間調整部材には、隙間調整部材の出没方向に沿ったラック部を有する長孔が形成されており、中方立部材には、長孔に対応した挿入孔が形成され、挿入孔には長孔に挿通されて長孔のラック部に噛合するピニオン部を有する回動調節部材を設けている。
【０００８】
ところで、ピニオン部を有す回動調節部材は、隙間調節部材を調節した後に逆回転すると引戸との間に隙間が発生してしまう。すなわち、隙間調節部材は定位置に安定しない。
【特許文献１】特開平１０−３３９０７７号に係る「引戸構造」
【特許文献２】特開２００９−１２７３２１号に係る「引き戸の中方立構造」
【考案の開示】
【考案が解決しようとする課題】
【０００９】
このように、方立枠と引戸との間に隙間が生じないように調整する装置には上記のごとき問題がある。本考案が解決しようとする課題はこの問題点であり、簡単な構造でこの隙間が発生しないように調整できる引戸の隙間防止装置を提供する。
【課題を解決するための手段】
【００１０】
本考案が対象とする引戸装置は、左右の壁面の間に形成された出入口を開閉する引戸を有し、この引戸が閉じた場合において該引戸の戸尻側面に近接する位置に方立枠を起立し、基本的な構造は従来の引戸装置と共通している。そして、方立枠の引戸側面には全長にわたって凹溝を形成し、該凹溝には遮蔽部材を嵌めて引戸面に向かって前進・後退移動を可能としている。該遮蔽部材は凹溝に嵌る基材と基材に沿って取付けたモヘアや柔らかい弾性片で構成した隙間防止部材を有している。
【００１１】
そして、この遮蔽部材を前進・後退移動を調整するための調整部材を方立枠の複数個所に取付けている。該調整部材は方立枠に上記凹溝に向かって貫通する穴に固着される外輪と、この外輪に回動出来るように嵌った回転体とを備え、外輪内周面には凹凸歯を備え、回動体の外周には上記凹凸歯に弾力的に係合する弾性ツメを有している。そして回転体の前面には回転工具係合溝を形成し、回転体の後端部には偏芯カム軸を備え、この偏芯カム軸は上記遮蔽部材の側面に設けられた縦長のカム溝に係合している。
【考案の効果】
【００１２】
本考案に係る引戸の隙間防止装置では、方立枠側面からドライバー等の回転工具を用いて調整部材の回転体を回転することにより、遮蔽部材を引戸方向に前進又は後退させて移動調整することが出来る。
すなわち、調整部材の回転体後方端から延びる偏心カム軸が遮蔽部材に沿って形成したカム溝に係合し、回転体の回転に伴って偏心カム軸が回動することで遮蔽部材は前進・後退することが出来る。
【００１３】
そして、調整部材は方立枠の複数個所に取付けられている為に、適当な箇所の調整部材を調整することで、遮蔽部材の突出量を場所によって変えることが出来る。また、本考案では、回転体の弾性ツメと外輪の凹凸歯との噛み合いによって、弾性ツメの弾性係合力の範囲内で回転体の回転が阻止されるので、期間が経過しても回転体が逆回転して遮蔽部材が勝手に後退移動することはなく、隙間防止効果は損なわれない。ただし、回転体のロック機構は弾性ツメに限定はしない。
【図面の簡単な説明】
【００１４】
【図１】引戸装置の出入口側実施例。
【図２】図１のＢ−Ｂ断面拡大図。
【図３】方立枠を示す実施例。
【図４】遮蔽部材を構成するモヘアと基材。
【図５】遮蔽部材が方立枠の凹溝に嵌った場合。
【図６】調整部材を示す実施例。
【図７】カム溝を形成した回転体。
【図８】モヘアを取付ける基材。
【図９】調整部材を示す他の実施例。
【図１０】一般的な引戸装置を示す概略図。
【図１１】図１０のＡ−Ａ断面図。
【考案を実施するための形態】
【００１５】
図１は引戸装置の出入口側を示す実施例で、同図の１は引戸、２は方立枠、３は上枠、４は下枠、５は遮蔽部材をそれぞれ表し、前記図１１に相当する。従来の一般的な引戸装置では引戸１と方立枠２との間に隙間が介在しているが、本考案ではこの隙間を塞ぐために遮蔽部材５を取付けている。そこで、本考案では引戸装置としての形態は限定せず、片引き型式の引戸装置であっても、両引き型式の引戸装置であっても、また、上枠に取付けた上レールに引戸を吊設した型式の引戸装置であっても、下枠に敷設した下レールに引戸が載った型式の引戸装置であっても構わない。
【００１６】
ところで、本考案に係る隙間防止装置は方立枠２に取着されて引戸１と方立枠２との間に発生する隙間を塞ぐことが出来る。そして、方立枠２の出入口側面７の複数個所に調整部材６，６・・・が取付けられ、これら調整部材６，６・・・を調整することで、遮蔽部材５の出し入れが行われる。すなわち、調整部材６，６・・・の回転体を回すことで遮蔽部材５の出し入れが行われる構造としている。
【００１７】
図２は図１のＢ−Ｂ断面拡大図を示している。同図に示すように方立枠２の引戸側には凹溝８が長手方向に設けられ、この凹溝８には遮蔽部材５が嵌っている。そして、遮蔽部材５は方立枠２に取付けた調整部材６を調整することで遮蔽部材５が前進して引戸１にほぼ隙間なく接する。調整部材６の先端にはモヘア９を有し、該モヘア９は引戸面に接することが出来、柔らかいモヘア９が引戸面に接しても該引戸１の開閉操作に伴ってキズが付くことはない。勿論、本考案では上記モヘア９に限定することはなく、引戸面に接して滑ってもキズが付かない柔らかい材質から成る隙間防止部材であれば構わない。
【００１８】
図３は方立枠２の一部を示す斜視図であり、長方形断面をした長尺材であり、引戸側面３０には凹溝８が連続して形成され、そして出入口側面７には複数個所に穴１０，１０・・・が設けられ、これら穴１０，１０・・・は凹溝８まで貫通している。この方立枠２は戸袋壁の先端に起立して取着され、凹溝８には遮蔽部材が嵌められ、そして穴１０，１０・・・には調整部材が取付けられる。
【００１９】
図４（ａ）は遮蔽部材を構成するモヘア９を表し、図４（ｂ）は上記モヘア９を取付ける基材１２を示している。上記モヘア９は細長い基板１３に植毛され、基材１２には取付け溝１４を設けている。そこで、基板１３は取付け溝１４に嵌って取付けられ、そして基材１２は方立枠２に設けた凹溝８に嵌合し、モヘア９は該方立枠２の引戸側面３０から外方向へ延びることが出来る。また、基材１２の基部側（取付け溝と反対側）には一定幅のカム溝１５を沿設している。
【００２０】
図５は方立枠２の凹溝８に遮蔽部材５を嵌めた場合の横断面図であり、（ａ）は遮蔽部材５が後退している状態を、（ｂ）は遮蔽部材５が前進している状態をそれぞれ示している。基材１２は凹溝８にガタ付くことなく嵌り、該凹溝８に沿ってスライドすることで遮蔽部材５は前進・後退することが出来る。ところで、基材１２のスライドは方立枠２に設けた穴１０に嵌った調整部材６によって行うことが出来る。
【００２１】
図６は調整部材６を示す実施例であり、該調整部材６は穴１０に嵌って回転できないように嵌合される外輪１６と、この外輪１６に回動可能に嵌った回転体１７とを備えている。そして上記外輪１６はその内周面に形成した凹凸歯１８と、方立枠２の穴１０に嵌った状態で回転するのを阻止する凸条１９，１９・・・を備えている。
【００２２】
回転体１７は外輪１６の凹凸歯１８に弾力的に係合する左右一対の弾性ツメ２０ａ，２０ｂを備え、正面にはドライバー等の回転工具が係合する係合溝２１が設けられている。弾性ツメ２０ａ，２０ｂは回転体１７のボディと一体的に形成され、外力が作用することで弾性変形することが出来る。そこで、回転体１７が外輪１６に嵌るならば、弾性ツメ２０ａ，２０ｂは常時凹凸歯１８に弾力的に係合し、回転体１７の回転にロックがかけられる。
【００２３】
しかし、回転工具を用いて回転体１７に設定以上の回転トルクを与えるならば、即ち、弾性ツメ２０ａ，２０ｂの弾性係合力以上の回転トルクを与えると、弾性ツメ２０ａ，２０ｂは弾性変形して凹凸歯１８に沿って移動し、回転体１７は回転出来るようになる。更に、回転体１７の後端部には偏心カム軸２２が回転体１７の中心軸と平行に延び、この偏心カム軸２２が遮蔽部材５の基材１２に設けているカム溝１５に係合する。
【００２４】
前記図５に示すように、偏心カム軸２２は基材１２のカム溝１５に係合し、そこで、調整部材６の回転体１７が回転するならば偏心カム軸２２の回動により遮蔽部材５は前進し、又は後退する。調整部材６，６・・・は方立枠２の複数個所に取付けられ、その為に引戸１と方立枠２との間の隙間が一定でない場合には、各調整部材６，６・・・を適当に調整することで、該隙間を塞ぐことが出来る。
【００２５】
回転体１７はその胴部の外周面に小さな突起２３，２３・・・が設けられ、これら突起２３，２３・・・は外輪１６の内周面に形成した段部２４に係合し、その為に、外輪１６に嵌った回転体１７は抜けないようになる。
工具を用いて回転体１７を回転することで偏心カム軸２２を回動し、遮蔽部材５を引戸方向に前進又は後退させて隙間を調整する。調整した後は、回転体１７の弾性ツメ２０ａ，２０ｂが外輪１６の凹凸歯１８との噛み合いによって、該回転体１７の回転が阻止される。従って、期間が経過しても回転体１７が勝手に回転して遮蔽部材５が移動することはない。
【００２６】
そして、遮蔽部材５を一旦調整した後、年数が経過して再び隙間が生じた時には、再度、同じ操作で遮蔽部材５を移動して隙間を塞ぐことが出来る。
ここで、上記回転体１７の弾性ツメ２０ａ，２０ｂに代わって凹凸歯１８に係合する板バネを取付けることも出来、又は凹凸歯１８に係合する為に、外方向へ突出するバネ力が付勢されたボールを取付けることも可能である。
【００２７】
図７は調整部材６を示す他の実施例である。回転体１７には渦巻状のカム溝１１が後端面２５に形成し、前面には工具係合溝２１を有している。一方、モヘア９を取付けている基材１２にはピン２６，２６・・・を水平に突出し、このピン２６，２６・・・は回転体１７の上記渦巻状のカム溝１１，１１・・・に係合する。従って、回転体１７が回転すればカム溝１１が回転して遮蔽部材５の基材１２に取着したピン２６は水平移動し、その結果、遮蔽部材５は前進・後退移動することが出来る。ここで、渦巻状のカム溝１１は回転体１７の中心部から外周部にかけて延び、回転体１７の回転角度に応じて中心からの距離が変化する。
【００２８】
回転体１７は方立枠２に貫通して設けた穴１０に回転しないように取付けた外輪１６に嵌り、外輪内周面には前記図６に示すように凹凸歯１８が形成され、回転体１７の外周には弾性ツメ２０ａ，２０ｂを形成している。従って、回転体１７は所定の角度回転したところでロックされる。
図６では、回転体１７のロック手段として外輪内周面の凹凸歯１８と回転体外周の弾性ツメ２０ａ，２０ｂの組み合わせ構造としているが、本考案は該実施例に限定するものではない。
【００２９】
図９は回転体１７のロック手段を示す他の実施例である。外輪１６の内周には複数の半円溝２７，２７・・・を中心軸と平行して一定間隔で形成し、回転体１７の外周には半円溝２８を中心軸に平行して設けている。そして、両半円溝２７，２８が重なった円形穴にロックピン２９を嵌入する構造としている。従って、回転体１７は適当な回転角度でロックピン２９を嵌入するならばロックされる。
【符号の説明】
【００３０】
１   引戸
２   方立枠
３   上枠
４   下枠
５   遮蔽部材
６   調整部材
７   出入口側面
８   凹溝
９   モヘア
10   穴
11   カム溝
12   基材
13   基板
14   取付け溝
15   カム溝
16   外輪
17   回転体
18   凹凸歯
19   凸条
20   弾性ツメ
21   係合溝
22   偏心カム軸
23   突起
24   段部
25   後端面
26   ピン
27   半円溝
28   半円溝
29   ロックピン
30   引戸側面
【図１】
0003183840.tif 000003
【図２】
0003183840.tif 000004
【図３】
0003183840.tif 000005
【図４】
0003183840.tif 000006
【図５】
0003183840.tif 000007
【図６】
0003183840.tif 000008
【図７】
0003183840.tif 000009
【図８】
0003183840.tif 000010
【図９】
0003183840.tif 000011
【図１０】
0003183840.tif 000012
【図１１】
0003183840.tif 000013